【事件の表示】
　特願２００５−７６０８２「遊技機用基板ケース」拒絶査定不服審判事件〔平成１８年９月２８日出願公開、特開２００６−２５５１１９〕について、次のとおり審決する。
【結　論】
　本件審判の請求は、成り立たない。
【理　由】
第一．手続の経緯
　本願は平成１７年３月１６日の出願であって、拒絶理由に対して平成２２年４月５日付けで手続補正がなされ、再度通知された拒絶理由通知に対して同年８月２６日に手続補正がなされ、その後、平成２３年２月１７日付けでなされた拒絶査定に対し、同年５月２３日に拒絶査定不服審判が請求されるとともに、手続補正（以下「本件補正」という。）がなされたものである。
　また、当審において、同年９月６日付けで審査官による前置報告書の内容を添付して審尋を行い、請求人から同年１１月２日に回答書が提出されている。
　
第二．平成２３年５月２３日付けの手続補正についての補正却下の決定
［補正却下の決定の結論］
　平成２３年５月２３日付けの手続補正を却下する。
　
［理由］
１．本件補正後の本願発明
　本件補正により補正された、特許請求の範囲の請求項１記載の発明（以下「本願補正発明」という。）は次のとおりである。
「　遊技機の筐体内に設けられ、所要の電子部品を装備した制御回路基板を相対向して収容し前記筐体に取り付けられている前扉を開放すると目視できる正面側のケース蓋、及び該ケース蓋を前記筐体の背板上部に取り付ける背面側のケース基体と、前記ケース蓋及びケース基体とを離脱不能に係合接続する接続部材とを備える遊技機用基板ケースであって、
　前記接続部材は、少なくとも一の外周面に係合凸部を有する角筒形状の角筒部を有するとともに、前記ケース基体において前記角筒部が前記ケース蓋側に対向して保持され、
　前記ケース蓋には、前記ケース基体と閉塞する際に前記角筒部を挿入可能とすべくその形状に整合して開口し、挿入された前記角筒部の前記係合凸部と係合する係合凹部が内壁に形成される角筒容器状の開口部が設けられ、
　該開口部は、前記ケース蓋の厚み方向に平行に立設された複数の桁部と、該各桁部の間に架け渡されて前記ケース蓋の面と平行位置に配設された薄板状の薄膜部とを有する断面がコ字形状の連結部により片持ち支持され、当該ケース蓋の本体に対して連結支持されているとともに、前記コ字形状の連結部の窪みが前記ケース基体側に向けられて
おり、
　切断工具により前記薄膜部を突き刺すことで前記桁部が個別に切断可能とされて
　ことを特徴とする遊技機用基板ケース。」
（下線部は補正によって追加された箇所。）
　
２．補正要件（目的）の検討
　本件補正により、「切断工具により前記薄膜部を突き刺すことで前記桁部が個別に切断可能とされて」いる点が追加された。
　しかし、連結部３３３及び３１２の切断に関しては、段落【００５７】、【００７１】及び【００８６】に「ニッパー等の工具を用いて」切断する旨記載されているものの、切断工具を薄膜部に突き刺すことで桁部が個別に切断可能とされていることは、願書に最初に添付した明細書、特許請求の範囲又は図面（以下「当初明細書等」という。）に記載されていない。
　さらに、審判請求人が例示している特開平１１−１９３１０号公報の「２本の破断部７１」の間には薄膜部が架け渡されていないので、該公報にニッパなどの切断具を薄膜部に突き刺して２本の破断部７１を個別に切断することが記載されているとはいえない。
　そうしてみると、「切断工具により前記薄膜部を突き刺すことで前記桁部が個別に切断可能とされている」という事項は、当初明細書等に直接的には記載されておらず、また、当初明細書等のすべての記載を総合することにより導かれる技術的事項との関係において、新たな技術的事項を導入しないものであるということもできない。
　したがって、本件補正は、特許法第１７条の２第３項の規定に違反するので、同法第１５９条第１項において読み替えて準用する同法第５３条第１項の規定により却下すべきものである。
　よって、結論のとおり決定する。
　
　なお、本件補正が特許法第１７条の２第３項の規定に違反しておらず、平成１８年法律第５５号による改正前の特許法第１７条の２第４項第２号の特許請求の範囲の減縮を目的とするものに該当するとしてみても、以下の理由により本願補正発明は特許出願の際独立して特許を受けることができないものであるので、本件補正を却下すべきものであることに変わりはない。
　
３．補正要件（独立特許要件：特許法第２９条第２項）の検討
（１）引用された文献の記載事項
　原査定の拒絶の理由に引用された特開２００４−２８３４４５号公報（以下「引用文献１」という。）には、図面とともに、以下の事項が記載されている。
　
【００２０】
パチンコ機ＰＭは外郭方形枠サイズに構成されて縦向きの固定保持枠をなす外枠１の開口前面に、これに合わせた方形枠サイズに構成される開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００２２】
前枠２の裏面側には、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板アッセンブリ４０や主基板アッセンブリ５０等の各種制御基板アッセンブリが取り付けられている。
【００２５】
以上のように概要構成されるパチンコ機ＰＭにあって、主基板アッセンブリ５０に不正開放防止機構が設けられている。以下、主基板アッセンブリ５０について図３〜図８を参照しながら説明する。ここで、図３は主基板アッセンブリ５０の斜視図、図４は主基板アッセンブリ５０の側断面図、図５は主基板アッセンブリ５０の分解斜視図、図６は主基板アッセンブリ５０に構成されるケース蓋部材７０の背面図、図７（ａ）は係止アーム６３が係止突起７５に係止した状態を示す拡大図、図７（ｂ）は係止アーム６３が係止突起７５に係止した状態を示す拡大側断面図、図８（ａ）は係止アーム６３が係止突起７５に係止する前の状態を示す拡大図、そして図８（ｂ）は係止アーム６３が係止突起７５に係止する前の状態を示す拡大側断面図である。
【００２６】
主基板アッセンブリ５０は、図３〜図５に示すように、パチンコ機ＰＭの作動を統括的に制御する主制御基板５１と、主制御基板５１を内部に収容する主基板ケース５５とを主体に構成される。さらに、主基板ケース５５は、パチンコ機ＰＭの裏セット盤３０に固定されるケース本体部材６０と、ケース本体部材６０に開閉自在に取り付けられるケース蓋部材７０と、主制御基板５１の裏面側を覆う内部カバー８０とを備え、主制御基板５１および内部カバー８０がケース蓋部材７０の内面側に取り付けられた状態で、ケース蓋部材７０をケース本体部材６０へ装着可能に構成される。
【００５０】
不正開放防止機構１００は、ケース本体部材６０に連結して設けられた４つの本体側係合部１１０，１１０，…と、ケース蓋部材７０に連結して設けられた４つの蓋側係合部１２０，１２０，…と、本体側係合部１１０と蓋側係合部１２０とをそれぞれ連結させる４つ接続部材１５０，１５０，…とを備え、ケース蓋部材７０をケース本体部材６０へ装着したときに本体側係合部１１０と蓋側係合部１２０とを連結可能に構成される。
【００５６】
蓋側係合部１２０（蓋側収容部１２１）とケース蓋部材７０との連結部１２５（図６および図１２を参照）は切断可能に構成されており、この連結部１２５を切断して蓋側係合部１２０（蓋側収容部１２１）とケース蓋部材７０とを分離することができるようになっている。なお、前述したように、主基板ケース５５（ケース本体部材６０およびケース蓋部材７０）の材料として透明な樹脂材料を使用しているが、その中でもＡＢＳ樹脂を使用することが好ましい。これにより、上記のような部材に対する切断操作を行うと、ＡＢＳ樹脂の成分であるブタジエンがゴム性を有して伸び、部材が割れずに白化しやすいため、その切断痕跡が明確に残りやすいという効果が得られる。また、主基板ケース５５を無理にこじ開けようとしても、同様に部材が白化して（こじ開けた）痕跡が明確に残りやすいという効果が得られる。
【００６８】
接続部材１５０は、図１３〜図１６に示すように、一端に開口を有する中空直方体状の形態をなし、ＡＢＳ樹脂やポリカーボネート（ＰＣ）等の樹脂材料を用いて射出成形等の成形手段により一体的に成形される。また、接続部材１５０は、係合空間ＣＳ内に、接続部材１５０の一端側が本体側係合部１１０を向くロック方向およびロック方向とは逆のアンロック方向を向いて配設可能に構成される。
【００６９】
接続部材１５０の一端側における長方形断面の短辺を形成して対向する２面には、本体側係合突起１５１，１５１が内外へ揺動可能に形成されており、接続部材１５０の一端側が本体側係合空間ＣＳ１内に位置すると本体側凹部１３２ａ，１３２ａと係合し、接続部材１５０の一端側が蓋側係合空間ＣＳ２内に位置すると蓋側突起ガイド部１４３，１４３に非係合状態で収容されるようになっている。
【００７０】
接続部材１５０の他端側における長方形断面の長辺を形成して対向する２面には、蓋側係合突起１５２，１５２が内外へ揺動可能に形成されており、図１７に示すように、接続部材１５０の他端側が蓋側係合空間ＣＳ２内に位置すると蓋側凹部１４２ａ，１４２ａと係合し、図１８に示すように、接続部材１５０の他端側が本体側係合空間ＣＳ１内に位置すると本体側係合補助部材１３０の内側面に当接し非係合状態で本体側突起ガイド部１３３，１３３に収容されるようになっている。
【００８１】
また、接続部材１５０の一端側が本体側係合空間ＣＳ１内に位置して本体側係合突起１５１，１５１が本体側凹部１３２ａ，１３２ａと係合するとともに、接続部材１５０の他端側が蓋側係合空間ＣＳ２内に位置して蓋側係合突起１５２，１５２が蓋側凹部１４２ａ，１４２ａと係合するため、本体側係合部１１０と蓋側係合部１２０とをより容易に連結させることができ、ケース本体部材６０とケース蓋部材７０とを閉止状態で容易に結合保持することができる。
【００８５】
保守点検作業を行うときには、例えば、ニッパ等の工具を用いて蓋側係合部１２０とケース蓋部材７０との連結部１２５（例えば、図３に示すように、ケース蓋部材７０の右端下方に位置する連結部１２５）を切断する。これにより、蓋側係合部１２０とケース蓋部材７０とが切り離されるので、図１９に示すように、主基板ケース５５（主基板アッセンブリ５０）を開放することができ、ケース蓋部材７０の内面側に取り付けられた主制御基板５１の保守点検等を行うことができる。他の三つの接続部材１５０，１５０，１５０は係合空間ＣＳ内にアンロック方向を向いて配設され、本体側係合部１１０および蓋側係合部１２０に挿抜可能に収容されているからである。
　
　摘記した上記の記載等から、引用文献１には、
「　パチンコ機ＰＭの外枠１の開口前面に前枠２が横開き開閉可能に取り付けられ、該前枠２の裏面側にセット保持された裏セット盤３０の裏面に取り付けられている主基板アッセンブリ５０であって、
　該主基板アッセンブリ５０は、主制御基板５１と、該主制御基板５１を内部に収容する主基板ケース５５とを主体に構成されるとともに、不正開放防止機構１００が設けられており、前記主基板ケース５５は、前記裏セット盤３０に固定されるケース本体部材６０と、該ケース本体部材６０に開閉自在に取り付けられるケース蓋部材７０を備え、
　前記不正開放防止機構１００は、前記ケース本体部材６０に連結して設けられた４つの本体側係合部１１０と、前記ケース蓋部材７０に連結して設けられた４つの蓋側係合部１２０と、前記本体側係合部１１０と前記蓋側係合部１２０とをそれぞれ連結させる４つの中空直方体状の接続部材１５０とを備え、
　該接続部材１５０は、その一端側における長方形断面の短辺を形成して対向する２面に、本体側係合突起１５１が内外へ揺動可能に形成され、その他端側における長方形断面の長辺を形成して対向する２面に、蓋側係合突起１５２が内外へ揺動可能に形成されており、
　前記接続部材１５０の前記本体側係合突起１５１が本体側凹部１３２ａと係合するとともに、前記蓋側係合突起１５２が蓋側凹部１４２ａと係合するため、前記本体側係合部１１０と前記蓋側係合部１２０とを容易に連結させ、前記ケース本体部材６０と前記ケース蓋部材７０とを閉止状態で結合保持することができ、
　前記蓋側係合部１２０と前記ケース蓋部材７０との連結部１２５が２つ設けられ、ニッパ等の工具を用いて前記連結部１２５が切断可能に構成されている主基板アッセンブリ５０。」
の発明（以下「引用発明」という。）が記載されていると認められる。
　
（２）対比
　本願補正発明と引用発明とを比較する。
　引用発明の「パチンコ機ＰＭ」は、本願補正発明の「遊技機」に相当し、以下同様に、
「外枠１」は「筐体」に、
「前枠２」は「前扉」に、
「主基板アッセンブリ５０」は「遊技機用基板ケース」に、
「主制御基板５１」は「所要の電子部品を装備した制御回路基板」に、
「ケース本体部材６０」は「ケース基体」に、
「ケース蓋部材７０」は「ケース蓋」に、
「接続部材１５０」は「接続部材」に、
「他端側における長方形断面の長辺を形成して対向する２面」は「少なくとも一の外周面」に、
「蓋側係合突起１５２」は「係合凸部」に、
「蓋側凹部１４２ａ」は「係合凹部」に、
「蓋側係合部１２０」は「開口部」に、
「連結部１２５」は「桁部」に、
「ニッパ等の工具を用いて」は「切断工具により」に、
「切断可能に構成されている」は「切断可能とされている」に、それぞれ相当する。
　さらに、引用文献１の記載や図面等からみて、以下のことがいえる。
　
ａ．引用発明の「主基板アッセンブリ５０」は、パチンコ機ＰＭの外枠１の開口前面に取り付けられた前枠２の裏面側にセット保持された裏セット盤３０の裏面に取り付けられているから、本願補正発明の「遊技機の筐体内」に相当する位置に設けられているといえる。
　また、引用文献１の図２及び図５を参酌すると、引用発明の「ケース蓋部材７０」は「ケース本体部材６０」と相対向して「主制御基板５１」を収容しているとともに、前扉を開放すると目視できるものであることが分かる。
　さらに、引用発明の「主基板アッセンブリ５０」は「ケース蓋部材７０」と「ケース本体部材６０」とを開閉自在に取り付けてなるものであるが、「接続部材１５０」を備えた「不正開放防止機構１００」が設けられているから、通常は「接続部材１５０」によって「ケース蓋部材７０」と「ケース本体部材６０」とを離脱不能に係合接続しているものといえる。
　そうすると、引用発明の「主基板アッセンブリ５０」と本願補正発明の「遊技機用基板ケース」は、“遊技機の筐体内に設けられ、所要の電子部品を装備した制御回路基板を相対向して収容し前記筐体に取り付けられている前扉を開放すると目視できるケース蓋、及び該ケース蓋を取り付けるケース基体と、前記ケース蓋及びケース基体とを離脱不能に係合接続する接続部材とを備える”点で共通している。
　
ｂ．引用発明の「接続部材１５０」は中空直方体状であるから、本願補正発明の「角筒形状の角筒部」に相当する構成を有するものといえる。
　また、引用文献１の図１７〜１９等からみて、接続部材１５０の本体側係合突起１５１は本体側凹部１３２ａと係合するものであるとともに、その本体側凹部１３２ａはケース本体部材６０側にあるということができ、さらに、本体側係合突起１５１が本体側凹部１３２ａと係合した状態においては、接続部材１５０の他端側がケース蓋部材７０側に対向して保持されることも明らかである。
　そうすると、引用発明の「接続部材１５０」は、本願補正発明の「前記ケース基体において前記角筒部が前記ケース蓋側に対向して保持され」に相当する構成を有するものといえる。
　
ｃ．引用文献１の図１０及び１２を参酌すると、引用発明の「蓋側係合部１２０」は角筒容器状の開口部となっていること、及びその内壁に「蓋側凹部１４２ａ」が形成されていることが分かる。
　そして、引用発明において、ケース本体部材６０とケース蓋部材７０とを閉止状態で結合保持する際に、断面長方形の接続部材１５０が蓋側係合部１２０に挿入されて蓋側係合突起１５２が蓋側凹部１４２ａと係合するのであるから、引用発明の「蓋側係合部１２０」は、本願補正発明の「前記ケース蓋には、前記ケース基体と閉塞する際に前記角筒部を挿入可能とすべくその形状に整合して開口し、挿入された前記角筒部の前記係合凸部と係合する係合凹部が内壁に形成される角筒容器状の開口部」に相当するものといえる。
　
ｄ．引用文献１の図６、１２、１７及び１８を参酌すると、引用発明の２つの連結部１２５はケース蓋部材７０の厚み方向に平行に立設され、蓋側係合部１２０は該２つの連結部１２５により片持ち支持され、ケース蓋部材７０の本体に対して連結支持されるものであることが分かる。
　そうすると、引用発明の「蓋側係合部１２０」と本願補正発明の「開口部」は、“前記ケース蓋の厚み方向に平行に立設された複数の桁部を有する連結部により片持ち支持され、当該ケース蓋の本体に対して連結支持されている”点で共通するものといえる。
　
ｅ．引用発明の「連結部１２５」は、その構造からみてニッパ等の工具により個別に切断可能なものといえる。
　
　以上を総合すると、両者は、
「　遊技機の筐体内に設けられ、所要の電子部品を装備した制御回路基板を相対向して収容し前記筐体に取り付けられている前扉を開放すると目視できるケース蓋、及び該ケース蓋を取り付けるケース基体と、前記ケース蓋及びケース基体とを離脱不能に係合接続する接続部材とを備える遊技機用基板ケースであって、
　前記接続部材は、少なくとも一の外周面に係合凸部を有する角筒形状の角筒部を有するとともに、前記ケース基体において前記角筒部が前記ケース蓋側に対向して保持され、
　前記ケース蓋には、前記ケース基体と閉塞する際に前記角筒部を挿入可能とすべくその形状に整合して開口し、挿入された前記角筒部の前記係合凸部と係合する係合凹部が内壁に形成される角筒容器状の開口部が設けられ、
　該開口部は、前記ケース蓋の厚み方向に平行に立設された複数の桁部を有する連結部により片持ち支持され、当該ケース蓋の本体に対して連結支持されているとともに、
　切断工具により前記桁部が個別に切断可能とされている
　ことを特徴とする遊技機用基板ケース。」
の点で一致し、以下の点で相違している。
　
［相違点１］本願補正発明はケース蓋が正面側、ケース基体が背面側となっているのに対し、引用発明のケース蓋部材７０とケース本体部材６０は、裏セット盤３０の裏面に取り付けられているため、ケース蓋部材７０が背面側、ケース本体部材６０が正面側となっている点。
　
［相違点２］本願補正発明はケース蓋を筐体の背板上部に取り付けているのに対し、引用発明はケース蓋部材７０を取り付けている位置が筐体の背板上部ではない点。
　
［相違点３］本願補正発明の「連結部」は、「各桁部の間に架け渡されて前記ケース蓋の面と平行位置に配設された薄板状の薄膜部とを有する断面がコ字形状」であるとともに、「前記コ字形状の連結部の窪みが前記ケース基体側に向けられて」いるのに対し、引用発明の「連結部１２５」は、それらの間に架け渡される薄膜部を有しておらず、断面がコ字形状ではない点。
　
［相違点４］本願補正発明は「薄膜部を突き刺すことで前記桁部が個別に切断可能とされている」のに対し、引用発明は、薄膜部がないため、薄膜部を突き刺すことで２つの連結部１２５が個別に切断可能とされるものではない点。
　
（３）相違点の判断
［相違点１及び２について］
　相違点１及び２は密接に関連しているので、合わせて検討する。
　遊技機用基板ケースの配設箇所を、筐体に取り付けられている前扉を開放すると目視できる箇所で、且つ筐体の背板上部とすることは、例えば、特開２００４−２０９２３８号公報（原査定の引用文献３、特に段落【００３１】及び図１）に記載されるように、スロットマシンにおいて従来周知の技術（以下「周知技術」という。）である。
　そして、引用文献１の段落【０１０３】には、「上述の実施形態において、主基板ケース５５および不正開放防止機構１００を備えた主基板アッセンブリ５０がパチンコ機ＰＭに設けられているが、これに限られるものではなく、例えば、スロットマシンや雀球遊技機等の遊技機に設けられてもよい。」と記載されているから、引用発明をスロットマシンに設けるものとし、主基板アッセンブリ５０を、前扉を開放すると目視できる箇所で、且つ筐体の背板上部に取り付けるようにすることは、遊技機の分野における通常の知識を有する者（以下「当業者」という。）が容易に想到し得る。
　また、そのようにすれば、引用発明のケース蓋部材７０が正面側、ケース本体部材６０が背面側を向くことになる。
　よって、引用発明に周知技術を適用して、上記相違点１及び２に係る本願補正発明のような構成とすることは、当業者が容易になし得ることである。
　
［相違点３及び４について］
　相違点３及び４は密接に関連しているので、合わせて検討する。
　原査定の拒絶の理由に引用された特開２００３−２６５８１２号公報（以下「引用文献２」という。）には、図面とともに、以下の事項が記載されている。
【００２９】しかして、前記封印手段４０における開封部は、次のように構成されている。図６は封印手段の封印状態での開封部を示す正面図、図７は図６のＶＩＩ−ＶＩＩ線断面図である。図７に示すように、前記遊技機の基板ボックス１８では、封印手段４０のセット側の開封部２２とカバー側の開封部３２とは、それぞれほぼ平板状に形成されている。各開封部２２，３２の断面における長手方向は、前後方向（図７において左右方向）に延びている。
【００３０】しかして、図７に示すように、セット側の開封部２２とカバー側の開封部３２とは、それぞれ断面ほぼコの字状に形成されている。・・・
【００３２】前記カバー側の開封部３２は、所定間隔を隔てて形成された上下２枚の板状のアーム部３２ａ，３２ｂと、その両アーム部３２ａ，３２ｂをその後端部において接続する接続部３２ｃとを有している。上側のアーム部３２ａと下側のアーム部３２ｂとは、前記セット側のアーム部２２ａ，２２ｂと同様に、異なる板厚ｔ１，ｔ２で形成されている。・・・
【００３４】上記した遊技機の基板ボックス１８によると、セット部材２０にカバー部材３０が閉じられ、遊技機における制御基板が収容される（図１参照）。そして、セット部材２０とカバー部材３０にそれぞれ各開封部２２，３２を介して設けられた各連結部２４，３４は、かしめ部材４２に対する封印ねじ４３のねじ込みによって、所定の結合方向すなわち前後方向に関し封印状態に結合される（図４参照）。
【００３５】また、基板ボックス１８内の検査等に際し封印を解くすなわち開封する場合には、セット側の開封部２２およびカバー側の開封部３２を、ニッパーやカッター等の切断工具４６（図７中、二点鎖線４６参照）で切断する。これによって、封印手段４０の封印を開封することができ、カバー部材３０を開閉することができる。このときの開封状態は、各連結部２４，３４が基板ボックス１８から切り離されるため、目視によって容易に発見することができる。
【００４２】また、カバー側の開封部３２の２つのアーム部３２ａ，３２ｂのうち少なくとも１つのアーム部３２ａによって弱体部を形成しながらも、それらのアーム部３２ｂ，３２ｃによって開封部３２の強度を確保することができる（図７参照）。
　
　摘記した上記の記載等から、引用文献２には、以下の技術（以下「引用文献２記載の技術」という。）が開示されている。
「　セット部材２０にカバー部材３０が閉じられ、遊技機における制御基板が収容される基板ボックス１８において、
　前記セット部材２０と前記カバー部材３０に、それぞれ各開封部２２，３２を介して設けられた各連結部２４，３４が、封印ねじ４３のねじ込みによって封印状態に結合され、
　前記開封部３２は、所定間隔を隔てて形成された異なる板厚の上下２枚の板状のアーム部３２ａ，３２ｂと接続部３２ｃとを有し、断面ほぼコの字状に形成されており、
　前記開封部２２，３２をニッパーやカッター等の切断工具４６で切断することによって、封印手段４０の封印を開封することができる基板ボックス１８。」
　
　そして、引用発明と引用文献２記載の技術は、遊技機の制御基板を収容するケースであって、開封した際の切断痕跡を明確に残す目的を有する点で共通しており（特に、引用文献１の段落【００５６】及び引用文献２の段落【００３５】を参照）、引用文献２記載の技術における「カバー部材３０」、「開封部３２」及び「連結部３４」は、それぞれ引用発明における「ケース蓋部材７０」、「連結部１２５」及び「蓋側係合部１２０」に相当しているから、引用発明における「連結部１２５」に代えて引用文献２記載の技術における「開封部３２」の構成を採用することは当業者にとって困難なことではない。
　さらに、引用文献２記載の技術における「開封部３２」は、断面ほぼコの字状に形成され「アーム部３２ａ，３２ｂ」は異なる板厚（実施例では上側のアーム部３２ａの板厚が下側のアーム部３２ｂや接続部３２ｃの板厚より小さい）であるところ、引用文献２の段落【００４２】に「カバー側の開封部３２の２つのアーム部３２ａ，３２ｂのうち少なくとも１つのアーム部３２ａによって弱体部を形成しながらも、それらのアーム部３２ｂ，３２ｃによって開封部３２の強度を確保することができる」と記載されていることからみて、コの字状構造における弱体部の形成箇所は、コの字状構造の強度を如何に確保するかに基づくものであって、上側のアーム部３２ａに限られるものではないから、「開封部３２」の構成を採用するに際して、ケース蓋の面と平行位置に配設された接続部３２ｃを弱体部として、上記相違点３に係る本願補正発明のような構成とすることは、当業者が容易に想到し得る。
　また、そのような構成とすることにより、弱体部である接続部３２ｃを先に破壊し、その後２つのアーム部３２ａ，３２ｂを個別に切断することも当業者であれば普通に思いつく事項である。
　よって、引用発明に引用文献２記載の技術を適用して、上記相違点３及び４に係る本願補正発明のような構成とすることは、当業者が容易になし得ることである。
　
［相違点の判断のまとめ］
　本願補正発明の作用効果も、引用発明、引用文献２記載の技術及び周知技術から当業者が予測できる範囲のものである。
　したがって、本願補正発明は、引用発明、引用文献２記載の技術及び周知技術に基づいて、当業者が容易に発明をすることができたものであるから、特許法第２９条第２項の規定により特許出願の際独立して特許を受けることができないものである。
　
第三．本願発明について
１．本願発明
　平成２３年５月２３日付けの手続補正は上記のとおり却下されたので、本願の請求項１に係る発明（以下「本願発明」という。）は、平成２２年８月２６日付け手続補正書の特許請求の範囲の請求項１に記載された事項により特定される、以下のとおりのものである。
「　遊技機の筐体内に設けられ、所要の電子部品を装備した制御回路基板を相対向して収容し前記筐体に取り付けられている前扉を開放すると目視できる正面側のケース蓋、及び該ケース蓋を前記筐体の背板上部に取り付ける背面側のケース基体と、前記ケース蓋及びケース基体とを離脱不能に係合接続する接続部材とを備える遊技機用基板ケースであって、
　前記接続部材は、少なくとも一の外周面に係合凸部を有する角筒形状の角筒部を有するとともに、前記ケース基体において前記角筒部が前記ケース蓋側に対向して保持され、
　前記ケース蓋には、前記ケース基体と閉塞する際に前記角筒部を挿入可能とすべくその形状に整合して開口し、挿入された前記角筒部の前記係合凸部と係合する係合凹部が内壁に形成される角筒容器状の開口部が設けられ、
　該開口部は、前記ケース蓋の厚み方向に平行に立設された複数の桁部と、該各桁部の間に架け渡されて前記ケース蓋の面と平行位置に配設された薄板状の薄膜部とを有する断面がコ字形状の連結部により片持ち支持され、当該ケース蓋の本体に対して連結支持されているとともに、前記コ字形状の連結部の窪みが前記ケース基体側に向けられている
　ことを特徴とする遊技機用基板ケース。」
　
２．特許法第２９条第２項の検討
（１）引用文献記載事項
　審判合議体が通知した拒絶理由における引用文献１及びその記載事項は、上記「第二．３．（１）」に記載したとおりである。
　
（２）引用発明と本願発明との対比及び判断
　本願発明は、上記「第二．」で検討した本願補正発明から、「切断工具により前記薄膜部を突き刺すことで前記桁部が個別に切断可能とされて」いる点の構成を省いたものといえる。
　そうすると、本願発明の構成要件を全て含み、さらに他の構成要件を追加したものに相当する本願補正発明が、上記「第二．３．（３）」に記載したとおり、引用発明、引用文献２記載の技術及び周知技術に基づいて、当業者が容易に発明をすることができたものであるから、本願発明も、同様の理由により、引用発明、引用文献２記載の技術及び周知技術に基づいて、当業者が容易に発明をすることができたものである。
　
（３）まとめ
　以上のとおり、本願発明は、引用発明、引用文献２記載の技術及び周知技術に基づいて、当業者が容易に発明をすることができたものであるから、特許法第２９条第２項の規定により特許を受けることができない。
　
第四．むすび
　本願発明は、特許法第２９条第２項の規定により特許を受けることができないから、本願の他の請求項（請求項２）について検討するまでもなく、本願は拒絶すべきものである。
　よって、結論のとおり審決する。